(57)【要約】【課題】ＬＥＤを用いて、発光装置の照射範囲を集光したり、拡大したりすることができるＬＥＤ照明器具を提供する。【解決手段】器具本体２０に取り付けられた発光装置３０を囲むレンズユニット４０の固定部４２は、固定部材４２１を介して器具本体２０および発光装置３０の一方に固定される。このとき、固定部材４２１が、レンズユニット４０のレンズ部４１よりも発光装置３０側に位置するので、レンズユニット４０の取付や交換を容易に行うことができる。このため、ＬＥＤ３３１を用いて、発光装置３０の照射範囲を集光したり、拡大したりすることができる。【選択図】図２
2013127922.tif 000002
【特許請求の範囲】
【請求項１】
器具本体と、
前記器具本体に取り付けられる発光装置と、
前記発光装置の光照射方向に配置されるレンズユニットと、を備え、
前記発光装置が、
前記器具本体に取り付けられる取付部材と、
前記取付部材に支持される半導体発光素子を用いた発光部とを有し、
前記レンズユニットが、レンズ部と、前記レンズ部に連結されるとともに前記発光装置を囲み、かつ、前記器具本体および前記発光装置のうちの一方に固定部材を介して固定される固定部とを有し、
前記固定部材が、前記レンズ部よりも前記発光装置側に位置するＬＥＤ照明器具。
【請求項２】
請求項１に記載のＬＥＤ照明器具であって、
前記発光装置が、前記発光部からの光を透過制御する光制御部材を有し、
前記レンズ部が、前記光制御部材からの高輝度光が入射する凹状の入射部を有するＬＥＤ照明器具。
【請求項３】
請求項１または請求項２に記載のＬＥＤ照明器具であって、
前記発光装置と前記レンズ部との間に設けられた透光性カバーを有するＬＥＤ照明器具。
【請求項４】
請求項１ないし請求項３のうちのいずれか１項に記載のＬＥＤ照明器具であって、
前記レンズ部が、中央が窪んだ凹状の出射部を有するＬＥＤ照明器具。
【請求項５】
請求項１ないし請求項４のうちのいずれか１項に記載のＬＥＤ照明器具であって、
前記レンズユニットの最大外縁部が前記固定部材の固定位置よりも内側であるＬＥＤ照明器具。
【発明の詳細な説明】
【技術分野】
【０００１】
本発明は、レンズユニットを有するＬＥＤ照明器具に関するものである。
【背景技術】
【０００２】
従来より、光源の前にレンズユニットを有する照明器具が知られている（例えば、特許文献１参照）。
図１５に示すように、特許文献１に記載の照明器具１００では、ＬＥＤを有する面光源１０１の前方に、光学素子（以後、レンズという。）１０２を有する。レンズ１０２は、たとえば、円形の面光源１０１の円の中心を通り、面光源１０１の面に垂直な軸に関して無限回回転対称な形状を有する。レンズ１０２の入射面１０３は、面光源１０１の発光面１０４に対向している。
【０００３】
レンズ１０２は、入射面１０３に対向する第１の出射面１０５と、入射面１０３及び第１の出射面１０５をつなぎ、側面を構成する第２の出射面１０６をさらに含む。第１の出射面１０５は、周縁部に比較して光軸周辺が窪んでいる。
一般に、ＬＥＤの特徴として、照射方向があり、その指向性が強い為、看板照明や液晶のバックライトで使用される場合、その照射範囲を拡大する目的で、上述したようなレンズ１０２が採用されている。
【先行技術文献】
【特許文献】
【０００４】
【特許文献１】特許第４６６０６５４号公報（第１図）
【発明の概要】
【発明が解決しようとする課題】
【０００５】
しかしながら、前述したような照明器具１００では、面光源１０１であるＬＥＤひとつひとつに対して、そのレンズ１０２を使用するものであり、照射角度の拡大や縮小のものは無かった。
一般に、ＬＥＤ単体からの光を制御する（偏光する）方法は、
１：ＬＥＤの照射方向と対向する位置に透過性のあるカバー（シボやプリズム加工等）を配置すること。
２：光学部材を用いて、光を集光したり、照射範囲を拡大させること。
が採用されている。
【０００６】
このような方法は、ＬＥＤ単体での光制御や偏光の方法であるが、現在では、１チップ１パッケージや、複数チップ１パッケージのようなＬＥＤ発光装置のように、一つの標準品として様々な器具で採用できるようになってきた。すなわち、ランプのように様々な器具に共通の光源を使用するという概念を用いたものである。
しかしながら、このような発光装置を用いて様々な器具に採用しようとすると、ＬＥＤの性質上、白熱灯や蛍光灯のような全方向に照射することが出来なくなるという問題があった。
【０００７】
本発明は、従来の問題を解決するためになされたもので、ＬＥＤを用いて、発光装置の照射範囲を集光したり、拡大したりすることができるＬＥＤ照明器具を提供することを目的とする。
【課題を解決するための手段】
【０００８】
本発明のＬＥＤ照明器具は、器具本体と、前記器具本体に取り付けられる発光装置と、前記発光装置の光照射方向に配置されるレンズユニットと、を備え、前記発光装置が、前記器具本体に取り付けられる取付部材と、前記取付部材に支持される半導体発光素子を用いた発光部とを有し、前記レンズユニットが、レンズ部と、前記レンズ部に連結されるとともに前記発光装置を囲み、かつ、前記器具本体および前記発光装置のうちの一方に固定部材を介して固定される固定部とを有し、前記固定部材が、前記レンズ部よりも前記発光装置側に位置するものである。
【０００９】
また、本発明のＬＥＤ照明器具は、前記発光装置が、前記発光部からの光を透過制御する光制御部材を有し、前記レンズ部が、前記光制御部材からの高輝度光が入射する凹状の入射部を有するものである。
【００１０】
また、本発明のＬＥＤ照明器具は、前記発光装置と前記レンズ部との間に設けられた透光性カバーを有するものである。
【００１１】
また、本発明のＬＥＤ照明器具は、前記レンズ部が、中央が窪んだ凹状の出射部を有するものである。
【００１２】
さらに、本発明のＬＥＤ照明器具は、前記レンズユニットの最大外縁部が前記固定部材の固定位置よりも内側であるものである。
【発明の効果】
【００１３】
本発明は、固定部材が、レンズ部よりも発光装置側に位置するので、レンズユニットの取付や交換を容易に行うことができる。このため、ＬＥＤを用いて、発光装置の照射範囲を集光したり、拡大したりすることができるという効果を有するＬＥＤ照明器具を提供できる。
【図面の簡単な説明】
【００１４】
【図１】本発明に係る第１実施形態のＬＥＤ照明器具の分解斜視図
【図２】本発明に係る第１実施形態のＬＥＤ照明器具の発光装置およびレンズ部の断面図
【図３】本発明に係る第１実施形態のＬＥＤ照明器具の発光装置の分解斜視図
【図４】本発明に係る第１実施形態のＬＥＤ照明器具における照射光の広がり方を示す断面図
【図５】本発明に係る第１実施形態のＬＥＤ照明器具における照射角度を示す断面図
【図６】（Ａ）はＬＥＤの端部から発せられた光の軌跡を示す説明図であり、（Ｂ）はＬＥＤの中央部から発せられた光の軌跡を示す説明図であり、（Ｃ）はＬＥＤの中間部から発せられた光の軌跡を示す説明図
【図７】本発明に係る第２実施形態のＬＥＤ照明器具の分解斜視図
【図８】本発明に係る第２実施形態のＬＥＤ照明器具における照射角度を示す断面図
【図９】本発明に係る第３実施形態のＬＥＤ照明器具の分解斜視図
【図１０】本発明に係る第３実施形態のＬＥＤ照明器具における照射角度を示す断面図
【図１１】本発明に係る第４実施形態のＬＥＤ照明器具の分解斜視図
【図１２】（Ａ）は本発明に係る第４実施形態のＬＥＤ照明器具における照射角度を示す断面図であり、（Ｂ）は本発明のレンズユニットを用いない比較例を示す断面図
【図１３】本発明に係る第５実施形態のＬＥＤ照明器具における照射光の広がり方を示す断面図
【図１４】本発明に係る第６実施形態のＬＥＤ照明器具における照射光の広がり方を示す断面図
【図１５】従来のＬＥＤ照明器具の発光装置の断面図
【発明を実施するための形態】
【００１５】
（第１実施形態）
以下、本発明に係る第１実施形態のＬＥＤ照明器具について、図面を用いて説明する。
図１に示すように、本発明に係る第１実施形態のＬＥＤ照明器具１０は、例えば、ポーチライトとすることができる。ポーチライトは、玄関の外壁（取付面１１）等に設置して、前方よりも、主に、上下左右の周囲に広く光を照射するものである。
このＬＥＤ照明器具１０では、取付面１１に取り付けられる器具本体２０と、器具本体２０に取り付けられる発光装置３０と、発光装置３０の光照射方向にレンズユニット４０を有する。さらに、レンズユニット４０から発せられる光を反射する反射板１２およびセード１３を有する。
【００１６】
図２に示すように、器具本体２０は、矩形台状のベースプレート２１の上面２１１に発光装置３０がねじ２２により取り付けられる。
図３に示すように、発光装置３０は、器具本体２０のベースプレート２１に取り付けられる円板形状をした取付部材３１を有する。取付部材３１の上面中央部には、絶縁シート３２を介して、半導体発光素子である例えばＬＥＤ３３１を有する発光部３３が載せられる。
【００１７】
発光部３３は、ＬＥＤホルダー３４をねじ３４１で締結することにより、取付部材３１に取り付けられる。発光部３３には配線３５が接続されており、電源装置（図示省略）に接続されて点灯電力の供給を受けて、ＬＥＤ３３１を発光させる。
発光部３３の光照射方向には、発光部３３からの光を透過制御する光制御部材３６が設けられており、光制御部材３６の光照射方向には透光性カバー３７が、レンズカバー３８によって取り付けられる。
【００１８】
従って、ＬＥＤ３３１から発せられた光は、透光性カバー３７によって面光源となる。このとき、透光性カバー３７の中央部では、光が強く、高輝度の領域となり、周囲では、光が弱く、輝度が低い領域となる。
なお、図示はしないが、透光性カバー３７が曲面形状の場合でも、上述した平面形状と同様の性質を示す。
【００１９】
図２に示すように、レンズユニット４０は、レンズ部４１と、レンズ部４１を器具本体２０および発光装置３０のうちの一方（ここでは、器具本体２０）に固定する固定部４２を有する。固定部４２は固定部材４２１を有しており、固定部材４２１を固定ねじ４２２で締結して器具本体２０に取り付けられる。
固定部材４２１は、レンズ部４１よりも発光装置３０側に位置しており、発光装置３０の外形に沿った形状を有する。
従って、レンズユニット４０は、従来のＬＥＤ照明器具に、後から追加して取り付けることが可能となっている。
【００２０】
レンズ部４１は、光制御部材３６からの高輝度光が入射する凹状の入射面（入射部）４１１を有する。
レンズ部４１の入射面４１１を凹形状とすることで、ＬＥＤ３３１から照射される光をレンズ部４１に効率良く入射する。例えば、入射面４１１を、ＬＥＤ３３１の中心を中心とする単一円とすることにより、ＬＥＤ３３１から照射される強い光の領域を有効に使用できる。また。入射面４１１を、複数の円を組み合わせた複合円からなる凹形状とした場合も同様の効果が得られる。
【００２１】
また、凹形状の範囲は、ＬＥＤ３３１と同等もしくは大きくする。すなわち、ＬＥＤ３３１が大きくなれば凹形状の範囲も大きくなる。これは、ＬＥＤ３３１が近いほど入射面４１１の凹形状範囲を小さくし、ＬＥＤ３３１が遠いほど入射面４１１の凹形状範囲を大きくすることにより、レンズ部４１に入射する光の量が効率良くなるためである。
同様に、入射面４１１の形状や大きさの要因として、ＬＥＤ３３１の大きさも上げられる。また、発光装置３０の照射範囲についても同様である。
【００２２】
レンズ部４１は、下端部における外径よりも、上端部４１２における外径の方が大きい。すなわち、レンズ部４１の側面４１５は中心側に凹む曲面形状をしており、且つ、上端部４１２側が外側に拡がっており、上端部４１２が最大外縁部となる。
従って、レンズ部４１は、上端部４１２において、最大外径を有する。
また、レンズユニット４０の最大外縁部である上端部４１２は、固定部材４２１の固定位置，すなわち固定ねじ４２２よりも内側に位置する。これにより、工具Ｔで固定ねじ４２２を回転させる際に、上端部４１２に工具Ｔが当たるのを回避できる。
また、レンズ部４１の上面である出射面（出射部）４１３は、中心４１４が凹んでおり、中心４１４から上端部４１２に向かう出射面４１３は、光照射方向に向かって凸状になっている。
【００２３】
図４には、発光装置３０から発せられた光が、前述したような形状を有するレンズユニット４０を介して照射される方向を示している。
上述した第１実施形態に係るＬＥＤ照明器具１０では、照射光は、水平方向へもひろく発せられる。
【００２４】
図５には、上述した第１実施形態に係るＬＥＤ照明器具１０のレンズユニット４０を用いた時の照射範囲が示されている。また、図６には、ＬＥＤ３３１の各場所から照射された光の軌跡が示されている。
図６（Ａ）では、ＬＥＤ３３１の端部から光が発せられた場合、図６（Ｂ）では、ＬＥＤ３３１の中央部から光が発せられた場合、図６（Ｃ）では、ＬＥＤ３３１の中央部と端部との中間部から光が発せられた場合が示されている。
【００２５】
これらを総合すると、図５に示すように、例えば、２７０度の角度で照射光が拡がることがわかる。
一方、レンズユニット４０を用いない場合には、例えば、１００度の角度で光が照射される（図５中二点鎖線で表示）ので、レンズユニット４０を用いることにより、照射範囲が拡がるのがわかる。
【００２６】
以上、説明した本発明に係る第１実施形態のＬＥＤ照明器具１０によれば、器具本体２０に取り付けられた発光装置３０を囲むレンズユニット４０の固定部４２は、固定部材４２１を介して器具本体２０に固定される。
このとき、固定部材４２１が、レンズ部４１よりも発光装置３０側に位置するので、容易にレンズユニット４０を後から追加して取り付けたり、交換したりすることができる。これにより、ＬＥＤ３３１を用いた発光装置３０の照射範囲を集光したり、拡大したりすることができる。
【００２７】
また、ＬＥＤ３３１の周辺に、発光部３３からの光を透過制御する光制御部材３６を設けたので、より照射面方向に光を制御するための反射板のような部品がある場合に損失となっていた光を、入射面４１１に入れることができる。
また、照射された強い光の領域を含むようにしたので、ＬＥＤ３３１および発光装置３０の光の照射範囲は、制御により精度が良くなる。このため、凹形状とした入射面４１１に入るようにすることができ、効率が良くなる。
【００２８】
また、発光装置３０とレンズ部４１との間に透光性カバー３７を有するので、発光部３３を直接触れないように、安全性を確保し、透光性カバー３７による照射範囲の制御を行うことができる。
なお、この透光性カバー３７の外表面に拡散性のシボや透過率の少ない乳白の材料を使用することや拡散材を塗布することで、発光部３３の輝度を抑えることができる。
【００２９】
また、レンズ部４１の出射面４１３を中央が窪んだ凹状にしたので、発光装置３０の配光を変更することができる。この凹状の形状により、照射範囲を広げることが可能となり、ＬＥＤ３３１の照射側の輝度を抑える(バットウィング、ワイド配光)ことができる。
【００３０】
さらに、レンズユニット４０の上端部４１２が、固定部材４２１の固定位置（固定ねじ４２２）よりも内側にあるので、上端部４１２が、レンズユニット４０を固定する固定ねじ４２２よりも外側に出ない。
このため、ドライバー等の工具Ｔでレンズユニット４０を着脱する際に、レンズ部４１周縁が邪魔になるのを回避して、容易に着脱できる。また、着脱時に、レンズ部４１を工具Ｔで傷つけるのを防止できる。
【００３１】
（第２実施形態）
次に、本発明に係る第２実施形態のＬＥＤ照明器具を説明する。
なお、前述した第１実施形態に係るＬＥＤ照明器具１０と共通する部位には同じ符号を付して、重複する説明を省略することとする。
図７に示すように、第２実施形態のＬＥＤ照明器具１０Ｂでは、例えば、浴室灯やエントランス灯とすることができる。浴室灯やエントランス灯では、グレアを抑制して、ランプイメージを強調しないものが適する。
【００３２】
このＬＥＤ照明器具１０Ｂでは、発光装置３０およびレンズユニット４０は、第１実施形態のＬＥＤ照明器具１０と同じものを使用し、器具本体２０Ｂおよびセード１３Ｂを変更した。
【００３３】
図８には、上述した第２実施形態に係るＬＥＤ照明器具１０Ｂのレンズユニット４０を用いた時の照射範囲が示されている。ここでは、第１実施形態で前述したように、例えば、２７０度の角度で照射光が拡がる。
一方、レンズユニット４０を用いない場合には、例えば、１００度の角度で光が照射される（図８中二点鎖線で表示）ので、レンズユニット４０を用いることにより、照射範囲が拡がるのがわかる。
【００３４】
以上、説明した本発明に係る第２実施形態のＬＥＤ照明器具１０Ｂによれば、前述した第１実施形態のＬＥＤ照明器具１０と同様の効果を得ることができる。
【００３５】
（第３実施形態）
次に、本発明に係る第３実施形態のＬＥＤ照明器具を説明する。
なお、前述した第１実施形態に係るＬＥＤ照明器具１０と共通する部位には同じ符号を付して、重複する説明を省略することとする。
図９に示すように、第３実施形態のＬＥＤ照明器具１０Ｃでは、例えば、天井面１１Ｃに取り付けて下方を照明するシーリングライトとすることができる。シーリングライトでは、直下の照明光のグレアを抑制して、照射範囲を拡大するものが適する。
【００３６】
このＬＥＤ照明器具１０Ｃでは、発光装置３０およびレンズユニット４０は、第１実施形態のＬＥＤ照明器具１０と同じものを使用し、器具本体２０Ｃおよびセード１３Ｃを変更した。
【００３７】
図１０には、上述した第３実施形態に係るＬＥＤ照明器具１０Ｃのレンズユニット４０を用いた時の照射範囲が示されている。ここでは、例えば、２７０度の角度で照射光が拡がる。
一方、レンズユニット４０を用いない場合には、例えば、１００度の角度で光が照射される（図１０中二点鎖線で表示）ので、レンズユニット４０を用いることにより、照射範囲が拡がるのがわかる。
【００３８】
以上、説明した本発明に係る第３実施形態のＬＥＤ照明器具１０Ｃによれば、前述した第１実施形態のＬＥＤ照明器具１０と同様の効果を得ることができる。
【００３９】
（第４実施形態）
次に、本発明に係る第４実施形態のＬＥＤ照明器具を説明する。
なお、前述した第１実施形態に係るＬＥＤ照明器具１０と共通する部位には同じ符号を付して、重複する説明を省略することとする。
図１１に示すように、第４実施形態のＬＥＤ照明器具１０Ｄでは、例えば、地面１１Ｄに器具本体２０Ｄとしてポールを立設して、上方から下方の周囲を照明するエントランスポール灯とすることができる。エントランスポール灯では、グレアを抑制して、照射範囲を下方の周囲に拡大するものが適する。
【００４０】
エントランスポール灯（ＬＥＤ照明器具１０Ｄ）は、ポール（器具本体２０Ｄ）の上端に、発光装置３０およびレンズユニット４０を設け、発光装置３０およびレンズユニット４０の周囲をセード１３Ｄで覆うとともに、セード１３Ｄの上に反射板１２Ｄを設ける。これにより、グレアを抑制するとともに、照明光を下方へ反射する。
なお、セード１３Ｄおよび反射板１２Ｄは、外枠１４で保護されている。
【００４１】
このＬＥＤ照明器具１０Ｄでは、発光装置３０およびレンズユニット４０は、第１実施形態のＬＥＤ照明器具１０と同じものを使用し、器具本体２０Ｄおよびセード１３Ｄを変更した。
【００４２】
図１２（Ａ）には、上述した第４実施形態に係るＬＥＤ照明器具１０Ｄのレンズユニット４０を用いた時の照射範囲が示されている。ここでは、例えば、２７０度の角度で照射光が拡がる。
一方、図１２（Ｂ）に示すように、レンズユニット４０を用いない場合には、反射板１２Ｄの作用により、下方への照射光は拡がるが、約２５０度にとどまる。
従って、レンズユニット４０を用いることにより、照射範囲が拡がるのがわかる。
【００４３】
以上、説明した本発明に係る第４実施形態のＬＥＤ照明器具１０Ｄによれば、前述した第１実施形態のＬＥＤ照明器具１０と同様の効果を得ることができる。
【００４４】
（第５実施形態）
次に、本発明に係る第５実施形態のＬＥＤ照明器具を説明する。
なお、前述した第１実施形態に係るＬＥＤ照明器具１０と共通する部位には同じ符号を付して、重複する説明を省略することとする。
【００４５】
図１３に示すように、第５実施形態のＬＥＤ照明器具１０Ｅでは、レンズユニット４０Ｅの形状が、前述した第１実施形態のＬＥＤ照明器具１０ないし第４実施形態のＬＥＤ照明器具１０Ｄのレンズユニット４０と異なる。
すなわち、第５実施形態のＬＥＤ照明器具１０Ｅにおけるレンズユニット４０Ｅでは、レンズ部４１Ｅの側面４１５Ｅが、光照射方向に向かって先細りとなるように傾斜している。また、側面４１５Ｅは平面（すなわち、円錐台形状）となっている。
【００４６】
このように構成されたＬＥＤ照明器具１０Ｅでは、照射範囲が、前述した第１実施形態のＬＥＤ照明器具１０ないし第４実施形態のＬＥＤ照明器具１０Ｄのレンズユニット４０を用いた場合に比して、一層広角なっている。すなわち、下向きに（すなわち光照射方向と反対側向きに）にも光が照射される。
【００４７】
以上、説明した本発明に係る第５実施形態のＬＥＤ照明器具１０Ｅによれば、前述した第１実施形態のＬＥＤ照明器具１０と同様の効果を得ることができるとともに、照射範囲を変更することができる。
【００４８】
（第６実施形態）
次に、本発明に係る第６実施形態のＬＥＤ照明器具を説明する。
なお、前述した第１実施形態に係るＬＥＤ照明器具１０と共通する部位には同じ符号を付して、重複する説明を省略することとする。
【００４９】
図１４に示すように、第６実施形態のＬＥＤ照明器具１０Ｆでは、レンズユニット４０Ｆのレンズ部４１Ｆの形状が、前述した第１実施形態のＬＥＤ照明器具１０ないし第５実施形態のＬＥＤ照明器具１０Ｅのレンズユニット４０、４０Ｅと異なる。
すなわち、第６実施形態のＬＥＤ照明器具１０Ｆにおけるレンズユニット４０Ｆでは、レンズ部４１Ｆの側面４１５Ｆが、光照射方向に向かって拡がるように傾斜している。また、側面４１５Ｆは平面（すなわち、逆円錐台形状）となっている。
また、出射面４１３Ｆは平面形状であり、凹んでいない。さらに、入射面４１１Ｆは、下向き（光照射方向と反対側）に凸となっている。
このように構成されたＬＥＤ照明器具１０Ｆでは、光が、主に上方にまっすぐに照射される。
【００５０】
以上、説明した本発明に係る第６実施形態のＬＥＤ照明器具１０Ｆによれば、前述した第１実施形態のＬＥＤ照明器具１０と同様の効果を得ることができるとともに、照射範囲を変更することができる。
【００５１】
なお、本発明のＬＥＤ照明器具は、前述した各実施形態に限定されるものでなく、適宜な変形，改良等が可能である。
例えば、前述した各実施形態においては、器具本体２０に取り付けられた発光装置３０を囲むレンズユニット４０の固定部４２を、固定部材４２１を介して器具本体２０に取り付ける場合を例示したが、発光装置３０に取り付けるようにすることもできる。
また、ベースプレート２１の上面２１１に発光装置３０を取り付ける際に、固定ねじ４２２とは別個のねじ２２が用いられているが、ねじ２２と固定ねじ４２２を共通にすることもできる。この場合、レンズ部４１の固定部材４２１が、発光装置３０の取付部材３１の上面に接触するようにして、ねじを締めた際に固定部材４２１が破損しないようにする。
【符号の説明】
【００５２】
１０，１０Ｂ，１０Ｃ，１０Ｄ，１０Ｅ  ＬＥＤ照明器具
２０，２０Ｂ，２０Ｃ，２０Ｄ，２０Ｅ  器具本体
３０  発光装置
３１  取付部材
３３  発光部
３３１  ＬＥＤ（半導体発光素子）
３６  光制御部材
３７  透光性カバー
４０  レンズユニット
４１  レンズ部
４１１  入射面（入射部）
４１２  上端部（最大外縁部）
４１３  出射面（出射部）
４２  固定部
４２１  固定部材
【図１】
2013127922.tif 000003
【図２】
2013127922.tif 000004
【図３】
2013127922.tif 000005
【図４】
2013127922.tif 000006
【図５】
2013127922.tif 000007
【図６】
2013127922.tif 000008
【図７】
2013127922.tif 000009
【図８】
2013127922.tif 000010
【図９】
2013127922.tif 000011
【図１０】
2013127922.tif 000012
【図１１】
2013127922.tif 000013
【図１２】
2013127922.tif 000014
【図１３】
2013127922.tif 000015
【図１４】
2013127922.tif 000016
【図１５】
2013127922.tif 000017